(57)【要約】      （修正有）【課題】輝度の向上が可能な表示装置およびその製造方法、電子機器、並びに照明装置を提供する。【解決手段】複数の発光素子１０と、前記発光素子１０の間に設けられると共に光励起物質２２を含む分離部２１とを備え、分離部２１の方向に伝搬した光を利用して輝度を向上させた表示装置１およびその製造方法、表示装置を備えた電子機器、並びに照明装置。【選択図】図１
2013122836.tif 000002
【特許請求の範囲】
【請求項１】
複数の発光素子と、
前記発光素子の間に設けられると共に光励起物質を含む分離部と
を備えた表示装置。
【請求項２】
前記光励起物質は、前記発光素子の光に励起されて発光する
請求項１に記載の表示装置。
【請求項３】
前記光励起物質は、前記発光素子の近傍に含まれている
請求項１に記載の表示装置。
【請求項４】
前記光励起物質は量子ドットである
請求項１に記載の表示装置。
【請求項５】
前記発光素子の光および前記光励起物質の発光光は互いに平行方向に取り出される
請求項１に記載の表示装置。
【請求項６】
前記発光素子は、第１電極、発光層を含む機能層および第２電極をこの順に有する
請求項１に記載の表示装置。
【請求項７】
前記機能層は有機材料により構成されている
請求項６に記載の表示装置。
【請求項８】
全ての前記発光素子の発光色は互いに同一であり、表示面側にカラーフィルタを有する
請求項１に記載の表示装置。
【請求項９】
一部の前記発光素子からは前記カラーフィルタを透過させずに光を取り出す
請求項８に記載の表示装置。
【請求項１０】
隣り合う前記発光素子の発光色は互いに異なる
請求項１に記載の表示装置。
【請求項１１】
前記発光素子の光および前記光励起物質の発光光は混合して白色を呈する
請求項１に記載の表示装置。
【請求項１２】
前記発光素子からは青色、前記光励起物質からは黄色の光がそれぞれ発光される
請求項１１に記載の表示装置。
【請求項１３】
前記分離部の一方の側、他方の側で前記光励起物質の発光色は互いに異なる
請求項１に記載の表示装置。
【請求項１４】
表示装置を備え、
前記表示装置は、
複数の発光素子と、
前記発光素子の間に設けられると共に光励起物質を含む分離部とを備えた
電子機器。
【請求項１５】
複数の発光素子の間に分離部を形成する工程を含み、
光励起物質を前記分離部に混合して形成する
表示装置の製造方法。
【請求項１６】
複数の発光素子と、
前記発光素子の間に設けられると共に光励起物質を含む分離部と
を備えた照明装置。
【発明の詳細な説明】
【技術分野】
【０００１】
本技術は、例えば有機ＥＬ（ElectroLuminescence）素子等の自発光素子を備えた表示装置およびその製造方法、電子機器並びに照明装置に関する。
【背景技術】
【０００２】
情報通信産業の発達が加速するのに伴い、高性能な表示素子が要求されている。例えば有機ＥＬ（ElectroLuminescence）素子は、自発光型表示素子であり、視野角の広さ、コントラスト、応答速度の点で優れている（例えば、特許文献１）。このような自発光型素子では、各々の発光素子が絶縁材料からなる分離膜で隔てられている。
【先行技術文献】
【特許文献】
【０００３】
【特許文献１】特開２００８−５３２２９号公報
【発明の概要】
【発明が解決しようとする課題】
【０００４】
しかしながら、発光素子から出射された光は表示面側（縦方向）だけでなく、分離膜の設けられた横方向などのあらゆる方向に伝播する。このため、自発光素子の光を表示光として取り出しきれずに、十分な輝度が得られないという問題が生じていた。これは、自発光素子を用いた照明装置でも同様である。
【０００５】
本技術はかかる問題点に鑑みてなされたもので、その目的は、分離膜の方向に伝播した光を利用して輝度を向上させた表示装置およびその製造方法、表示装置を備えた電子機器、並びに照明装置を提供することにある。
【課題を解決するための手段】
【０００６】
本技術による表示装置は、複数の発光素子と、発光素子の間に設けられると共に光励起物質を含む分離部とを備えたものである。本技術による電子機器は、上記表示装置を備えたものである。
【０００７】
本技術による照明装置は、複数の発光素子と、発光素子の間に設けられると共に光励起物質を含む分離部とを備えたものである。
【０００８】
本技術の表示装置、電子機器または照明装置では、発光素子からの光のうち分離部の方向へ伝播した光により、分離部に含まれる光励起物質が発光し、この光が取り出される。
【０００９】
本技術の表示装置の製造方法は、上記本技術の表示装置を製造する方法であり、複数の発光領域の間に分離部を形成する工程を含み、光励起物質を分離部に混合して形成するものである。
【発明の効果】
【００１０】
本技術の表示装置およびその製造方法、電子機器、並びに照明装置によれば、分離部が光励起物質を含むようにしたので、分離部の方向へと伝播した光を利用して表示光または照明光を取り出すことができる。よって、輝度を向上させることが可能となる。
【図面の簡単な説明】
【００１１】
【図１】本開示の第１の実施の形態に係る表示装置の構成を表す断面図である。
【図２】図１に示した表示装置の有機発光素子とカラーフィルタとの配置の関係を表す断面図である。
【図３】図１に示した表示装置の全体構成を表す概略図である。
【図４】光励起物質の発光について説明するための図である。
【図５】図１に示した発光層および光励起物質の発光について説明するための模式図である。
【図６】従来の表示装置の光取り出しについて説明するための模式図である。
【図７】変形例１に係る表示装置の構成を表す断面図である。
【図８】変形例２に係る表示装置の構成を表す断面図である。
【図９】図７に示した発光層および光励起物質の発光について説明するための模式図である。
【図１０】変形例３に係る表示装置の発光層および光励起物質の発光について説明するための模式図である。
【図１１】本開示の第２の実施の形態に係る表示装置の構成を表す断面図である。
【図１２】上記実施の形態の表示装置を含むモジュールの概略構成を表す平面図である。
【図１３】上記実施の形態の表示装置の適用例１の外観を表す斜視図である。
【図１４】（Ａ）は適用例２の表側から見た外観を表す斜視図であり、（Ｂ）は裏側からみた外観を表す斜視図である。
【図１５】適用例３の外観を表す斜視図である。
【図１６】適用例４の外観を表す斜視図である。
【図１７】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【図１８】上記実施の形態等の有機発光素子および分離膜を備えた照明装置の一例の外観を表す斜視図である。
【図１９】照明装置の他の例の外観を表す斜視図である。
【図２０】照明装置の更に他の例の外観を表す斜視図である。
【発明を実施するための形態】
【００１２】
以下、本技術の実施の形態について、図面を参照して詳細に説明する。なお、説明
は以下の順序で行う。
１．第１の実施の形態（全ての発光素子の発光色が互いに同一である例）
２．変形例１（カラーフィルタを介さずに出射する発光素子を有する例）
３．変形例２（互いに異なる発光色である複数種類の光励起物質を有する例）
４．変形例３（発光素子からの光および光励起物質の発光光が混合して白色以外の色を呈する例）
５．第２の実施の形態（隣り合う発光素子の発光色が互いに異なる例）
【００１３】
＜第１の実施の形態＞
［表示装置の全体構成］
図１は、本技術の第１の実施の形態に係る表示装置（表示装置１）の要部断面構成を表したものである。この表示装置１は、複数の有機発光素子１０（発光素子）を備えた自発光型の表示装置であり、支持基板１１の上に、画素駆動回路形成層Ｌ１、有機発光素子１０を含む発光素子形成層Ｌ２、カラーフィルタ層１８および対向基板１９をこの順に有している。隣り合う有機発光素子１０の間には分離膜２１（分離部）が設けられている。分離膜２１は、図２に表したように、有機発光素子１０の発光領域２０Ｌの大きさおよび形状を画定している。表示装置１は、対向基板１９側から光が取り出されるトップエミッション型の表示装置であり、画素駆動回路形成層Ｌ１には、例えば映像表示用の信号線駆動回路（後述の図３  信号線駆動回路１２０）や走査線駆動回路（後述の図３  走査線駆動回路１３０）が含まれている。各構成要素の詳細については後述する。
【００１４】
図３は、表示装置１の全体構成を表すものである。表示装置１は、支持基板１１の上に表示領域１１０を有し、極薄型の有機発光カラーディスプレイ装置などとして用いられる。支持基板１１上の表示領域１１０の周辺には、例えば映像表示用のドライバである信号線駆動回路１２０、走査線駆動回路１３０および電源供給線駆動回路１４０が設けられている。
【００１５】
表示領域１１０には、マトリクス状に二次元配置された複数の有機発光素子１０と、それらを駆動するための画素駆動回路１５０とが形成されている。画素駆動回路１５０において、列方向（Ｙ方向）には複数の信号線１２０Ａ（１２０Ａ１，１２０Ａ２，・・・，１２０Ａｍ，・・・）および複数の電源供給線１４０Ａ（１４０Ａ１，・・・，１４０Ａｎ，・・・）が配置され、行方向（Ｘ方向）には複数の走査線１３０Ａ（１３０Ａ１，・・・，１３０Ａｎ，・・・）が配置されている。各信号線１２０Ａと各走査線１３０Ａとの各交差点に、有機発光素子１０が対応して設けられている。各信号線１２０Ａはその両端が信号線駆動回路１２０に接続され、各走査線１３０Ａはその両端が走査線駆動回路１３０に接続され、各電源供給線１４０Ａはその両端が電源供給線駆動回路１４０に接続されている。
【００１６】
信号線駆動回路１２０は、信号供給源（図示せず）から供給される輝度情報に応じた映像信号の信号電圧を、信号線１２０Ａを介して選択された有機発光素子１０に供給するものである。信号線１２０Ａには、その両端から信号線駆動回路１２０からの信号電圧が印加される。
【００１７】
走査線駆動回路１３０は、入力されるクロックパルスに同期してスタートパルスを順にシフト（転送）するシフトレジスタなどによって構成されている。走査線駆動回路１３０は、有機発光素子１０への映像信号の書き込みに際し行単位でそれらを走査し、各走査線１３０Ａに走査信号を順次供給するものである。走査線１３０Ａには、その両端から走査線駆動回路１３０からの走査信号が供給される。
【００１８】
電源供給線駆動回路１４０は、入力されるクロックパルスに同期してスタートパルスを順にシフト（転送）するシフトレジスタなどによって構成されている。電源供給線駆動回路１４０は、信号線駆動回路１２０による列単位の走査と同期して、各電源供給線１４０Ａに対し、各々の両端から、互いに異なる第１電位および第２電位のいずれかを適宜供給する。これにより、後述する駆動トランジスタＴｒ１の導通状態または非導通状態の選択が行われる。
【００１９】
画素駆動回路１５０は、基板１１と有機発光素子１０との間の階層、すなわち画素駆動回路形成層Ｌ１に設けられている。画素駆動回路１５０は、駆動トランジスタＴｒ１および書込トランジスタＴｒ２（図１）と、その間のキャパシタ（保持容量）と、有機発光素子１０とを有するアクティブ型の駆動回路である。有機発光素子１０は、電源供給線１４０Ａおよび共通電源供給線（ＧＮＤ）の間において駆動トランジスタＴｒ１と直列に接続されている。駆動トランジスタＴｒ１および書込トランジスタＴｒ２は、一般的な薄膜トランジスタ（ＴＦＴ（Thin Film Transistor））により構成され、その構成は例えば逆スタガ構造（いわゆるボトムゲート型）でもよいしスタガ構造（トップゲート型）でもよく特に限定されない。
【００２０】
書込トランジスタＴｒ２は、例えばドレイン電極２Ｄが信号線１２０Ａと接続されており、信号線駆動回路１２０からの映像信号が供給されるようになっている。また、書込トランジスタＴｒ２のゲート電極２Ｇは走査線１３０Ａと接続されており、走査線駆動回路１３０からの走査信号が供給されるようになっている。さらに、書込トランジスタＴｒ２のソース電極２Ｓは、駆動トランジスタＴｒ１のゲート電極１Ｇと接続されている。駆動トランジスタＴｒ１は、例えばドレイン電極１Ｄが電源供給線１４０Ａと接続されており、電源供給線駆動回路１４０による第１電位または第２電位のいずれかに設定される。駆動トランジスタＴｒ１のソース電極１Ｓは、有機発光素子１０と接続されている。保持容量は、駆動トランジスタＴｒ１のゲート電極１Ｇ（書込トランジスタＴｒ２のソース電極２Ｓ）と、駆動トランジスタＴｒ１のドレイン電極１Ｄとの間に形成されるものである。
【００２１】
[表示装置の要部構成]
次に、再び図１，図２を参照して、支持基板１１、画素駆動回路形成層Ｌ１、発光素子形成層Ｌ２および対向基板１９などの詳細な構成について説明する。
【００２２】
支持基板１１は、例えば、水分（水蒸気）および酸素の透過を遮断可能なガラスまたはプラスチック材料などにより形成されている。トップエミッション型では対向基板１９から光が取り出されるため、支持基板１１は、透過性材料または非透過性材料のいずれにより形成されていてもよい。表示装置１をフレキシブルディスプレイとする場合には、可撓性を有する材料、例えばプラスチック材料によって支持基板１１を構成することが好ましい。
【００２３】
画素駆動回路形成層Ｌ１は、ゲート絶縁膜１２と平坦化層１３との積層構造を有している（図１）。画素駆動回路形成層Ｌ１には、画素駆動回路１５０を構成する駆動トランジスタＴｒ１および書込トランジスタＴｒ２が形成されており、さらに、信号線１２０Ａ、走査線１３０Ａおよび電源供給線１４０Ａ（図示せず）も埋設されている。詳細には、支持基板１１の上に、駆動トランジスタＴｒ１および書込トランジスタＴｒ２のゲート電極１Ｇ，２Ｇがそれぞれ形成され、ゲート絶縁膜１２によって一括して覆われている。そのゲート絶縁膜１２の上には、駆動トランジスタＴｒ１および書込トランジスタＴｒ２における、半導体層ＳＣ１，ＳＣ２、ソース電極１Ｓ，２Ｓおよびドレイン電極１Ｄ，２Ｄがそれぞれ形成されている。
【００２４】
ゲート電極１Ｇ，２Ｇは、例えば、金属材料、無機導電性材料、有機導電性材料または炭素材料のいずれか１種類または２種類以上により形成されている。金属材料は、例えば、アルミニウム（Ａｌ）、銅（Ｃｕ）、モリブデン（Ｍｏ）、チタン（Ｔｉ）、クロム（Ｃｒ）、ニッケル（Ｎｉ）、パラジウム（Ｐｄ）、金（Ａｕ）、銀（Ａｇ）、白金（Ｐｔ）またはそれらを含む合金などである。無機導電性材料は、例えば、酸化インジウム（Ｉｎ2Ｏ3）、酸化インジウムスズ（ＩＴＯ）、酸化インジウム亜鉛（ＩＺＯ）または酸化亜鉛（ＺｎＯ）などである。有機導電性材料は、例えば、ポリエチレンジオキシチオフェン（ＰＥＤＯＴ）またはポリスチレンスルホン酸（ＰＳＳ）などである。炭素材料は、例えば、グラファイトなどである。なお、ゲート電極１Ｇ，２Ｇは、上記した各種材料の層が２層以上積層されたものでもよい。
【００２５】
ゲート絶縁膜１２は、例えば、無機絶縁性材料または有機絶縁性材料のいずれか１種類または２種類以上により形成されている。無機材料は、例えば、酸化ケイ素（ＳｉＯx）、窒化ケイ素（ＳｉＮx）、酸化アルミニウム（Ａｌ2Ｏ3）、酸化チタン（ＴｉＯ2）、酸化ハフニウム（ＨｆＯx）またはチタン酸バリウム（ＢａＴｉＯ3）などである。有機絶縁性材料は、例えば、ポリビニルフェノール（ＰＶＰ）、ポリイミド、ポリメタクリル酸アクリレート、感光性ポリイミド、感光性ノボラック樹脂またはポリパラキシリレンなどである。なお、ゲート絶縁膜１２は、上記した各種材料の層が２層以上積層されたものでもよい。
【００２６】
半導体層ＳＣ１，ＳＣ２は、無機半導体材料または有機半導体材料のいずれか１種類または２種類以上により形成されている。無機半導体材料は、例えばアモルファスシリコンなどである。また、有機半導体材料としては、例えばアセンまたはその誘導体などを用いることができる。アセンは、例えば、ナフタセン、ペンタセン、ヘキサセン、ヘプタセン、ジベンゾペンタセン、テトラベンゾペンタセン、ピレン、ジベンゾピレン、クリセン、ペリレン、コロネン、テリレン、オバレン、クオテリレンまたはサーカムアントラセンなどである。
【００２７】
ソース電極１Ｓ，２Ｓおよびドレイン電極１Ｄ，２Ｄは、例えば、上記したゲート電極１Ｇ，２Ｇと同様の材料により形成されており、半導体層ＳＣ１，ＳＣ２にオーミック接触していることが好ましい。
【００２８】
平坦化層１３は、主に画素駆動回路形成層Ｌ１の表面を平坦化するために設けられるものであり、例えば、ポリイミドなどの絶縁性樹脂材料により形成されている。ゲート絶縁膜１２により十分な平坦性が得られていれば、平坦化層１３を省略することもできる。
【００２９】
発光素子形成層Ｌ２には、有機発光素子１０および分離膜２１と、それらを覆う封止層１７とが設けられている。
【００３０】
有機発光素子１０は、支持基板１１の側から、アノード電極としての第１電極１４、発光層１５Ｃ（後出）を含む有機層１５（機能層）、およびカソード電極としての第２電極１６が各々順に積層されたものである。有機層１５は第１電極１４側から正孔注入層１５Ａ、正孔輸送層１５Ｂ、発光層１５Ｃおよび電子輸送層１５Ｄをこの順に有している。但し、発光層１５Ｃ以外の層は、必要に応じて設ければよい。有機層１５および第１電極１４は、分離膜２１によって有機発光素子１０ごとに分離され、第２電極１６は、全ての有機発光素子１０に共通して設けられている。
【００３１】
第１電極１４は、有機層１５（具体的には、正孔輸送層１５Ａ）に正孔を注入する電極であり、平坦化層１３上にそれぞれ有機発光素子１０ごとに設けられている。第１電極１４は、有機層１５との対向面に反射面を有しており、発光層１５Ｃから出射された光を表示面側（第２電極１６側）へと反射する。このため、できるだけ第１電極１４が高い反射率を備えていることが、発光効率を高めるうえで好ましい。第１電極１４は、例えば銀（Ａｇ），アルミニウム（Ａｌ），モリブデン（Ｍｏ）あるいはクロム（Ｃｒ）などの金属元素の単体または合金からなる。あるいは、第１電極１４を上述の金属膜と透明導電膜との積層構造としてもよい。透明導電膜としては、例えば、インジウムとスズの酸化物（ＩＴＯ）、酸化インジウム亜鉛（ＩｎＺｎＯ）、酸化亜鉛（ＺｎＯ）とアルミニウム（Ａｌ）との合金などが挙げられる。
【００３２】
ここでは、有機材料からなる有機層１５の構成材料が全ての有機発光素子１０で互いに同一であり、全ての有機発光素子１０から同一色、例えば青色の光（例えば、波長４３５〜４８０ｎｍ）が出射される。この光はカラーフィルタ層１８を透過することにより、サブピクセルごとに異なる色（例えば赤色、緑色および青色）に分離されて表示光となる。
【００３３】
正孔注入層１５Ａは、正孔注入効率を高めるためのものであると共に、リークを防止するためのバッファ層である。正孔注入層１５Ａは、例えば４，４’，４”−トリス（３−メチルフェニルフェニルアミノ）トリフェニルアミン（ｍ−ＭＴＤＡＴＡ）あるいは４，４’，４”−トリス（２−ナフチルフェニルアミノ）トリフェニルアミン（２−ＴＮＡＴＡ）により構成されている。
【００３４】
正孔輸送層１５Ｂは、発光層１５Ｃへの正孔輸送効率を高めるためのものである。正孔輸送層１５Ｂは、例えばビス［（Ｎ−ナフチル）−Ｎ−フェニル］ベンジジン（α−ＮＰＤ）により構成されている。
【００３５】
発光層１５Ｃは、電界をかけることにより電子と正孔との再結合が起こり、光を発生するものである。発光層１５Ｃは、例えばスピロ６Φ（ｓｐｉｒｏ６Φ）あるいは９，１０−ジ−（２−ナフチル）アントラセン（ＡＤＮ）に４，４´≡ビス［２≡｛４≡（Ｎ，Ｎ≡ジフェニルアミノ）フェニル｝ビニル］ビフェニル（ＤＰＡＶＢｉ）を２．５重量％混合したものにより構成されている。
【００３６】
電子輸送層１５Ｄは発光層１５Ｃへの電子輸送効率を高めるためのものである。電子輸送層１５Ｄは、例えば８−キノリノールアルミニウム錯体（Ａｌｑ3）により構成されている。電子輸送層１５Ｄと第２電極１６との間に、電子注入効率を高めるための電子注入層を設けるようにしてもよい。電子注入層は、例えばＬｉＦまたはＬｉ2Ｏ等からなる。
【００３７】
第２電極１６は、第１電極１４と絶縁された状態で有機層１５の上に、有機ＥＬ素子１０に共通して設けられている。第２電極１６は、光透過性の透明材料からなり、例えば、インジウム錫酸化物（ＩＴＯ），酸化亜鉛（ＺｎＯ），アルミナドープ酸化亜鉛（ＡＺＯ），ガリウムドープ酸化亜鉛（ＧＺＯ），インジウム亜鉛酸化物（ＩＺＯ），インジウムチタン酸化物（ＩＴｉＯ）またはインジウムタングステン酸化物（ＩＷＯ）等により構成されている。この他、アルミニウム（Ａｌ），マグネシウム（Ｍｇ），カルシウム（Ｃａ）またはナトリウム（Ｎａ）の合金等を用いるようにしてもよい。
【００３８】
分離膜２１は、第１電極１４と第２電極１６との間に設けられ、これらの間の絶縁性を確保すると共に、隣り合う有機発光素子１０を隔てるものである。換言すれば、隣り合う分離膜２１の間の間隙に有機発光素子１０が設けられている。本実施の形態では、この分離膜２１に光励起物質２２が含まれている。詳細は後述するが、これにより、有機発光素子１０（発光層１５Ｃ）において発生した光のうち表示面（対向基板１９）側（図１，２紙面縦方向）に取り出されずに、分離膜２１の方向（図１，２紙面横方向）へと伝播した光を利用して輝度を向上させることができる。
【００３９】
分離膜２１は例えばテーパ（順テーパ）形状を有し、ポリイミド等の絶縁性樹脂材料に複数の光励起物質２２を含んだものにより構成されている。光励起物質２２は、絶縁性を確保できる程度に分離膜２１全体に均等に分散されていてもよいが、有機発光素子１０近傍（分離膜２１の側面側）のみに含まれていることが好ましい。有機発光素子１０間の絶縁性を確保するためである。光励起物質２２は、図４に表したように、発光層１５Ｃで発生する所定の波長の光（図４  波長４８０ｎｍ付近）を吸収することにより励起され、発光（図４  波長６２０ｎｍ付近）するものである。ここでは、発光層１５Ｃから青色の光が発生し、光励起物質２２はこの光により励起されて黄色の光（例えば、波長５７０〜５８０ｎｍ）を発光するものである。即ち、有機発光素子１０の光および光励起物質２２の発光光は混合して白色を呈する。
【００４０】
光励起物質２２は、例えば直径１ｎｍ〜１００ｎｍ程度の粒子である。具体的には、光励起物質２２は量子ドット等である。この量子ドットには既存のものを用いればよく、例えば、１２族元素と１６族元素との化合物、１３族元素と１６族元素との化合物あるいは１４族元素と１６族元素との化合物等により構成され、ＣｄＳｅ，ＣｄＴｅ，ＺｎＳ，ＣｄＳ，ＰｄＳ，ＰｂＳｅまたはＣｄＨｇＴｅ化合物からなるコア（ｃｏｒｅ）構造、あるいはＣｄＳｅ化合物からなる量子ドットがＺｎＳ化合物等で覆われたコアーセル（ｃｏｒｅ−ｓｈｅｌｌ）構造等を有するものである。光励起物質２２の発光波長は、例えばその粒子の大きさを変化させることにより調整することも可能である。
【００４１】
封止層１７は、平坦化層１３と同様に、例えば、ポリイミドなどの絶縁性樹脂材料により形成されている。
【００４２】
カラーフィルタ層１８は、対向基板１９の支持基板１１（有機発光素子１０）との対向面に設けられている。このカラーフィルタ層１８は、赤色カラーフィルタ１８Ｒ，緑色カラーフィルタ１８Ｇおよび青色カラーフィルタ１８Ｂを有しており、それぞれ有機発光素子１０（発光領域２０Ｌ）に対応して順に配置されている（図２）。これら赤色カラーフィルタ１８Ｒ，緑色カラーフィルタ１８Ｇおよび青色カラーフィルタ１８Ｂは顔料を含む樹脂からなり、顔料を選択することにより、目的とする色（例えば、赤，緑，青色）の波長域の光を選択的に透過させる。即ち、発光層１５Ｃおよび光励起物質２２の光が混合した白色光は、このカラーフィルタ層１８により有機発光素子１０の発光領域２０Ｌ（サブピクセル）毎に赤，緑および青色の光となる。それぞれ隣り合う赤色カラーフィルタ１８Ｒ，緑色カラーフィルタ１８Ｇおよび青色カラーフィルタ１８Ｂの間にはブラックマトリクス１８ＢＬが設けられている。
【００４３】
対向基板１９は、封止層１７、および熱硬化型樹脂などの接着層（図示せず）などと共に有機発光素子１０を封止するものであり、有機層１５に含まれる発光層１５Ｃにおいて発生した光を透過する透明なガラスまたはプラスチック材料により構成されている。
【００４４】
[表示装置の製造方法]
この表示装置１は、例えば次のようにして製造することができる。
【００４５】
まず、支持基板１１上に画素駆動回路形成層Ｌ１および第１電極１４を形成する。具体的には、まず、支持基板１１上に例えば蒸着法によりゲート電極１Ｇ，２Ｇの構成材料からなる金属膜を形成する。そののち、例えばフォトリソグラフィ法やドライエッチング、あるいはウェットエッチングによりその金属膜をパターニングすることで、支持基板１１上にゲート電極１Ｇ，２Ｇおよび信号線１２０Ａを形成する。次いで、支持基板１１の全面を覆うように、上記の材料を用いてスピンコート法などによりゲート絶縁膜１２を形成する。続いて、ゲート絶縁膜１２の上に、例えば、蒸着法およびフォトリソグラフィ法を用いて半導体層ＳＣ１，ＳＣ２、ドレイン電極１Ｄ，２Ｄおよびソース電極１Ｓ，２Ｓを順に、所定形状となるように形成する。その際、ゲート電極１Ｇとソース電極２Ｓとを接続する接続部を予めゲート絶縁膜１２に形成しておく。また、ドレイン電極１Ｄ，２Ｄおよびソース電極１Ｓ，２Ｓの形成と併せて、走査線１３０Ａおよび電源供給線１４０Ａを各々形成する。その際、各配線と各電極とを繋ぐ必要な接続部を適宜形成しておく。そののち、スピンコート法などにより全体を平坦化層１３で覆うことにより（必要に応じてさらにフォトリソグラフィ処理を施すことにより）、画素駆動回路形成層Ｌ１を完成させる。その際、平坦化層１３における金属層１Ｓ上の所定位置に、ドライエッチングなどにより第１電極１４との接続部を形成するための接続孔を形成しておく。
【００４６】
画素駆動回路形成層Ｌ１を形成した後、上述した所定の材料よりなる第１電極１４を形成する。具体的には、例えば蒸着法などによって上述の材料からなる金属膜を全面成膜したのち、その金属膜上に所定のマスクを用いて所定形状のレジストパターンを形成し、さらにそのレジストパターンをマスクとして用い、金属膜の選択的なエッチングを行う。その際、第１電極１４を、平坦化層１３の表面を覆うと共に上記の接続孔を充填するように形成する。
【００４７】
第１電極１４を形成したのち、光励起物質２２を含む分離膜２１をパターン化して形成する。具体的には、光励起物質２２を混合させた絶縁材料を例えばスピンコート法によって支持基板１１（平坦化層１３および第１電極１４上）の全面に塗布する。そののち、焼成、選択的露光および現像を順次行うことにより、所定形状にパターニングすることができる。
【００４８】
光励起物質２２を有機発光素子１０側に配置するためには、光励起物質２２を含む絶縁材料と、光励起物質２２を含まない絶縁材料とをマスクを用いて別々にパターニングすればよい。また、光励起物質２２を含む絶縁材料を所定形状にパターニングした後、加熱（ベーク）することにより光励起物質２２を有機発光素子１０側に移動させることも可能であり、絶縁材料および光励起物質２２を溶剤に混合して塗布した後、パターニングし、溶剤の乾燥時に光励起物質２２を有機発光素子１０側に移動させるようにしてもよい。表面活性剤を用いて光励起物質２２を配向させることも可能である。
【００４９】
続いて、隣り合う分離膜２１の間隙を完全に覆うように上述した所定の材料の正孔注入層１５Ａ、正孔輸送層１５Ｂ、発光層１５Ｃおよび電子輸送層１５Ｄを、例えば蒸着法によって順に積層することで有機層１５を形成する。さらに、有機層１５を挟んで第１電極１４と対向するように、全面に亘り、例えば蒸着法を用いて第２電極１６を形成する。これにより、有機発光素子１０が形成される。
【００５０】
有機発光素子１０を形成した後、基板１１の全面に封止層１７を形成する。最後に、封止層１７の上に接着層を間にして例えば真空ラミネート法によりカラーフィルタ層１８が設けられた対向基板１９を貼り合わせ、表示装置１が完成する。
【００５１】
[表示装置の動作]
この表示装置１では、各々の有機発光素子１０に対して走査線駆動回路１３０から書き込みトランジスタＴｒ２のゲート電極２Ｇを介して走査信号が供給されると共に、信号線駆動回路１２０から画像信号が書き込みトランジスタＴｒ２を介して保持容量Ｃｓに保持される。すなわち、この保持容量Ｃｓに保持された信号に応じて駆動トランジスタＴｒ１がオンオフ制御され、これにより、有機発光素子１０に駆動電流が注入され、正孔と電子とが再結合して発光が起こる。この光は、第２電極１６、封止層１７、カラーフィルタ層１８（赤色カラーフィルタ１８Ｒ，緑色カラーフィルタ１８Ｇ，青色カラーフィルタ１８Ｂ）および対向基板１９を透過して取り出される。
【００５２】
[表示装置の作用効果]
ここでは、分離膜２１に光励起物質２２が含まれているので、図５に表したように、発光層１５Ｃから表示面側へと出射された光（青色光ＬＢ１）に加え、発光層１５Ｃから分離膜２１の方向へと伝播した光（青色光ＬＢ２）を利用して、輝度を向上させることが可能となる。
【００５３】
従来は、図６に表したように、分離膜１２１に光励起物質が含まれておらず、表示面側以外の方向へと伝播した光（例えば、青色光ＬＢ２）は支持基板１１側に取り込まれ、消失してしまっていた。例えば、有機発光素子１０の光取り出し効率は約２０％であり、約８０％が支持基板１１側に取り込まれる。このため、自発光型表示装置では、十分な輝度を得ることができなかった。また、設計上、発光領域を広げることができない場合には、輝度を高めるために有機発光素子への印加電流を増加させる必要があり、輝度寿命（有機発光素子の寿命）が低下する虞がある。
【００５４】
これに対し、表示装置１では、分離膜２１に光励起物質２２が含まれているので、光励起物質２２が青色光ＬＢ２により励起されて、黄色光ＬＹを発光する（図５）。よって、黄色光ＬＹを青色光ＬＢ１と平行方向、即ち表示面側へと取り出して、輝度を向上させることができる。
【００５５】
また、光励起物質２２は分離膜２１に含まれているため、有機発光素子１０の発光領域２０Ｌよりも、より広い領域から発光が生じる。即ち、発光領域２０Ｌ（隣り合う分離膜２１の間の間隙）が狭い場合であっても、印加電流を増加させることなく、輝度を維持し、輝度寿命を向上させることが可能となる。
【００５６】
更に、有機層に光励起物質を含有させると、異物の混入により有機層が劣化して輝度が低下する虞があるが、表示装置１では、光励起物質２２が分離膜２１に含まれているので、このような輝度の低下が生じることがない。
【００５７】
以上のように、本実施の形態では、分離膜２１に光励起物質２２を含むようにしたので、分離膜２１の方向へと伝播した青色光ＬＢ２を利用して輝度を向上させることができる。
【００５８】
以下、本実施の形態の変形例および他の実施の形態について説明するが、以降の説明において上記実施の形態と同一構成部分については同一符号を付してその説明は適宜省略する。
【００５９】
＜変形例１＞
図７は、上記実施の形態の変形例１に係る表示装置（表示装置１Ａ）の断面構成を表したものである。この表示装置１Ａのカラーフィルタ層１８には赤色カラーフィルタ１８Ｒおよび緑色カラーフィルタ１８Ｇのみが設けられ、青色カラーフィルタは設けられていない。その点を除き、表示装置１Ａは上記第１の実施の形態の表示装置１と同様の構成を有し、その作用および効果も同様である。
【００６０】
カラーフィルタ層１８は、赤色カラーフィルタ１８Ｒ，緑色カラーフィルタ１８Ｇおよびこれらの間のブラックマトリクス１８ＢＬを有しているが、一部の発光領域２０Ｌの上部（表示面側）にはカラーフィルタ層１８（青色カラーフィルタ）が設けられていない。即ち、この発光領域２０Ｌから出射された青色光はカラーフィルタ層１８を介さずにそのまま取り出される。このように、カラーフィルタ層１８を一部に配置せずに、発光領域２０Ｌ（発光層１５Ｃ）からの出射光をそのまま表示光として用いるようにしてもよい。
【００６１】
＜変形例２＞
図８は、上記実施の形態の変形例２に係る表示装置（表示装置１Ｂ）の断面構成を表したものである。この表示装置１Ｂでは、互いに発光色の異なる光励起物質（光励起物質２２Ａ，２２Ｂ）が分離膜２１の一方、他方の側面近傍にそれぞれ含まれている。図９に表したように、光励起物質２２Ａ，２２Ｂは発光層１５Ｃから出射された青色光ＬＢ２により励起されて例えば、それぞれ赤色光ＬＲ，緑色光ＬＧを発光する。これら赤色光ＬＲおよび緑色光ＬＧは青色光ＬＢ１と混合して白色光となる。その点を除き、表示装置１Ｂは上記第１の実施の形態の表示装置１と同様の構成を有し、その作用および効果も同様である。
【００６２】
光励起物質２２Ａは分離膜２１の一方（図８，９紙面左側）の側面近傍に含まれており、発光層１５Ｃから出射された青色光ＬＢ２を吸収して赤色光ＬＲを発光するものである。一方、光励起物質２２Ｂは分離膜２１の他方（図８，９紙面右側）の側面近傍に含まれており、発光層１５Ｃから出射された青色光ＬＢ２を吸収して緑色光ＬＧを発光するものである。青色光ＬＢ１，赤色光ＬＲおよび緑色光ＬＧは混合して白色を呈し、カラーフィルタ層１８を通過することにより、サブピクセルごとに分離される。
【００６３】
＜変形例３＞
図１０は、上記実施の形態の変形例３に係る表示装置（表示装置１Ｃ）の断面構成を模式的に表したものである。この表示装置１Ｃは、発光層１５Ｃからの出射光と光励起物質（光励起物質２２Ｃ）の出射光とが混合して白色以外の色を呈するものである。その点を除き、表示装置１Ｂは上記第１の実施の形態の表示装置１と同様の構成を有し、その作用および効果も同様である。
【００６４】
光励起物質２２Ｃは、例えば発光層１５Ｃから出射された青色光ＬＢ２により励起されて、青緑（緑青）色光ＬＢ’を発光するものである。この青緑色光ＬＢ’は青色光ＬＢ２（波長４３５ｎｍ〜４８０ｎｍ）よりも例えば５ｎｍ〜５０ｎｍ程度長波長側にシフトしたものであり、波長４４０ｎｍ〜５００ｎｍ程度の光を発生するものである。このように、表示装置１Ｃでは、所望の波長の光を発する光励起物質２２Ｃを選択することにより、発光層１５Ｃ（有機発光素子１０）のみでは得ることの困難な色度の光を創出することが可能となる。
【００６５】
例えば、発光層１５Ｃから緑色（波長５００〜５６０ｎｍ）、光励起物質２２Ｃから赤色（波長６１０〜７５０ｎｍ）の光をそれぞれ出射するようにしてもよい。発光層１５Ｃからより波長の短い光、光励起物質２２Ｃからより波長の長い光を発生するようにすることが好ましいが、発光層１５Ｃと光励起物質２２Ｃとの発光波長が互いに同じであってもよい。
【００６６】
＜第２の実施の形態＞
図１１は、本技術の第２の実施の形態に係る表示装置（表示装置２）の断面構成を表したものである。この表示装置２の発光層は、赤色発光層１５ＣＲ，緑色発光層１５ＣＧおよび青色発光層１５ＣＢを有しており、隣り合う有機発光素子１０で異なっている。これら赤色発光層１５ＣＲ，緑色発光層１５ＣＧ，青色発光層１５ＣＢはそれぞれ赤色光，緑色光，青色光を発生させるものである。即ち、表示装置２は隣り合う有機発光素子１０の発光色が互いに異なるものである。光励起物質２２は、この赤色光，緑色光，青色光によりそれぞれ励起される光励起物質２２Ｄ，２２Ｅ，２２Ｆにより構成されている。その点を除き、表示装置２は上記第１の実施の形態の表示装置１と同様の構成を有し、その作用および効果も同様である。
【００６７】
赤色発光層１５ＣＲ，緑色発光層１５ＣＧ，青色発光層１５ＣＢは隣り合う有機発光素子１０で異なるように、素子（サブピクセル）ごとにパターニングされて設けられている。赤色発光層１５ＣＲ，緑色発光層１５ＣＧ，青色発光層１５ＣＢに対向して赤色カラーフィルタ１８Ｒ，緑色カラーフィルタ層１８Ｇ，青色カラーフィルタ１８Ｂがそれぞれ配置される。赤色発光層１５ＣＲは、例えばＡｌｑ3に２，６−ビス［４−［Ｎ−（４−メトキシフェニル）−Ｎ−フェニル］アミノスチリル］ナフタレン−１，５−ジカルボニトリル（ＢＳＮ−ＢＣＮ）を４０体積％混合したものにより構成されている。緑色発光層１５ＣＧは、例えばＡｌｑ3にクマリン６（Ｃｏｕｍａｒｉｎ６）を３体積％混合したものにより構成されている。青色発光層１５ＣＢは、例えばスピロ６Φ（ｓｐｉｒｏ６Φ）により構成されている。
【００６８】
分離膜２１の側面近傍には光励起物質２２Ｄ，２２Ｅ，２２Ｆのいずれかが含まれ、赤色発光層１５ＣＲを間にして対向する側面に光励起物質２２Ｄ、緑色発光層１５ＣＧを間にして対向する側面に光励起物質２２Ｅ、青色発光層１５ＣＢを間にして対向する側面に光励起物質２２Ｆがそれぞれ配置されている。例えば、光励起物質２２Ｄは赤色光を吸収して赤色、光励起物質２２Ｅは緑色光を吸収して緑色、光励起物質２２Ｆは青色光を吸収して青色の光をそれぞれ発光するものである。この光励起物質２２Ｄ，２２Ｅ，２２Ｆの発光波長は、赤色発光層１５ＣＲ，緑色発光層１５ＣＧ，青色発光層１５ＣＢの発光波長と同じでもよく、あるいは５ｎｍ〜５０ｎｍ程度長波長側にシフトしたものでもよい。また、光励起物質２２Ｄ，２２Ｅ，２２Ｆの発光色と赤色発光層１５ＣＲ，緑色発光層１５ＣＧ，青色発光層１５ＣＢの発光色とが全く異なるように構成することも可能である。このように赤色発光層１５ＣＲ，緑色発光層１５ＣＧおよび青色発光層１５ＣＢからの出射光に加え、光励起物質２２Ｄ，２２Ｅ，２２Ｆからの発光も表示光として取り出すことにより、輝度が向上すると共に自由度の高い光学設計も可能となる。光励起物質２２Ｄ，２２Ｅ，２２Ｆの配置は任意であり、赤色発光層１５ＣＲ，緑色発光層１５ＣＧ，青色発光層１５ＣＢそれぞれの対向する側面に配置される光励起物質が異なる種類のもの（例えば、光励起物質２２Ｄと光励起物質２２Ｅ等）であってもよく、同じ種類の光励起物質（例えば、光励起物質２２Ｄ）を全ての分離膜２１に配置するようにしてもよい。
【００６９】
＜モジュールおよび適用例＞
以下、上記実施の形態および変形例で説明した表示装置の適用例について説明する。上記実施の形態等の表示装置１，１Ａ，１Ｂ，１Ｃ，２は、テレビジョン装置，デジタルカメラ，ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００７０】
（モジュール）
上記実施の形態等の表示装置は、例えば、図１２に示したようなモジュールとして、後述する適用例１〜５などの種々の電子機器に組み込まれる。このモジュールは、例えば、支持基板１１の一辺に、封止層１７および対向基板１９から露出した領域２１０を設け、この露出した領域２１０に、信号線駆動回路１２０および走査線駆動回路１３０の配線を延長して外部接続端子（図示せず）を形成したものである。外部接続端子には、信号の入出力のためのフレキシブルプリント配線基板（ＦＰＣ；Flexible Printed Circuit）２２０が設けられていてもよい。
【００７１】
（適用例１）
図１３は、上記実施の形態等の表示装置が適用されるテレビジョン装置の外観を表したものである。このテレビジョン装置は、例えば、フロントパネル３１０およびフィルターガラス３２０を含む映像表示画面部３００を有しており、この映像表示画面部３００は、上記実施の形態に係る表示装置により構成されている。
【００７２】
（適用例２）
図１４は、上記実施の形態等の表示装置が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、上記実施の形態に係る表示装置により構成されている。
【００７３】
（適用例３）
図１５は、上記実施の形態等の表示装置が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、上記実施の形態に係る表示装置により構成されている。
【００７４】
（適用例４）
図１６は、上記実施の形態の表示装置が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、上記実施の形態に係る表示装置により構成されている。
【００７５】
（適用例５）
図１７は、上記実施の形態の表示装置が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、上記実施の形態に係る表示装置により構成されている。
【００７６】
＜照明装置＞
上記実施の形態および変形例の有機発光素子１０および分離膜２１により照明装置を構成することも可能である。図１８および図１９は、この有機発光素子１０および分離膜２１を複数配置することにより構成された卓上用の照明装置の外観を表したものである。この照明装置は、例えば、基台４１に設けられた支柱４２に、照明部４３を取り付けたものであり、この照明部４３が上記実施の形態等の有機発光素子１０および分離膜２１により構成されている。照明部４３は、支持基板１１として樹脂基板などの湾曲可能なものを用いることにより、図１８に示した筒状、または図１９に示した曲面状など、任意の形状とすることが可能である。
【００７７】
図２０は、上記実施の形態等の有機発光素子１０および分離膜２１が適用される室内用の照明装置の外観を表したものである。この照明装置は、例えば、上記実施の形態等に係る有機発光素子１０および分離膜２１により構成された照明部４４を有している。照明部４４は、建造物の天井５０Ａに適宜の個数および間隔で配置されている。なお、照明部４４は、用途に応じて、天井５０Ａに限らず、壁５０Ｂまたは床（図示せず）など任意の場所に設置することが可能である。
【００７８】
以上、実施の形態および変形例を挙げて本技術を説明したが、本技術は上記実施の形態に限定されるものではなく、種々変形が可能である。例えば、上記実施の形態では、トップエミッション型の有機発光素子を用いた表示装置について説明したが、本技術はボトムエミッション型の有機表示装置にも適用可能である。
【００７９】
また、例えば、上記実施の形態では、駆動方式がアクティブマトリクス方式の表示装置について説明したが、パッシブマトリクス方式の表示装置としてもよい。更に、上記実施の形態では、有機発光素子を用いた表示装置を例示したが、本技術は、例えば無機発光素子等の他の発光素子を用いた表示装置にも適用可能である。
【００８０】
加えて、上記実施の形態等では、分離膜２１がテーパ形状である場合を例示したが、他の形状であってもよい。また更に、例えば、上記実施の形態において説明した各層の材料および厚み、または成膜方法および成膜条件などは限定されるものではなく、他の材料および厚みとしてもよく、または他の成膜方法および成膜条件としてもよい。例えば、上記実施の形態等では、光励起物質２２を量子ドットにより構成する場合について説明したが、他の発光体により光励起物質を構成するようにしてもよい。
【００８１】
なお、本技術は以下のような構成をとることも可能である。
（１）複数の発光素子と、前記発光素子の間に設けられると共に光励起物質を含む分離部とを備えた表示装置。
（２）前記光励起物質は、前記発光素子の光に励起されて発光する前記（１）に記載の表示装置。
（３）前記光励起物質は、前記発光素子の近傍に含まれている前記（１）または（２）に記載の表示装置。
（４）前記光励起物質は量子ドットである前記（１）乃至（３）のうちいずれか１つに記載の表示装置。
（５）前記発光素子の光および前記光励起物質の発光光は互いに平行方向に取り出される前記（１）乃至（４）のうちいずれか１つに記載の表示装置。
（６）前記発光素子は、第１電極、発光層を含む機能層および第２電極をこの順に有する前記（１）乃至（５）のうちいずれか１つに記載の表示装置。
（７）前記機能層は有機材料により構成されている前記（６）記載の表示装置。
（８）全ての前記発光素子の発光色は互いに同一であり、表示面側にカラーフィルタを有する前記（１）乃至（７）のうちいずれか１つに記載の表示装置。
（９）一部の前記発光素子からは前記カラーフィルタを透過させずに光を取り出す前記（８）に記載の表示装置。
（１０）隣り合う前記発光素子の発光色は互いに異なる前記（１）乃至（７）のうちいずれか１つに記載の表示装置。
（１１）前記発光素子の光および前記光励起物質の発光光は混合して白色を呈する前記（１）乃至（１０）のうちいずれか１つに記載の表示装置。
（１２）前記発光素子からは青色、前記光励起物質からは黄色の光がそれぞれ発光される前記（１１）に記載の表示装置。
（１３）前記分離部の一方の側、他方の側で前記光励起物質の発光色は互いに異なる前記（１）乃至（１２）のうちいずれか１つに記載の表示装置。
（１４）表示装置を備え、前記表示装置は、複数の発光素子と、前記発光素子の間に設けられると共に光励起物質を含む分離部とを備えた電子機器。
（１５）複数の発光素子の間に分離部を形成する工程を含み、光励起物質を前記分離部に混合して形成する表示装置の製造方法。
（１６）複数の発光素子と、前記発光素子の間に設けられると共に光励起物質を含む分離部とを備えた照明装置。
【符号の説明】
【００８２】
１，１Ａ，１Ｂ，１Ｃ，２…表示装置、１０…有機発光素子、１１…支持基板、１２…ゲート絶縁膜、１３…平坦化層、１４…第１電極、１５…有機層、１６…第２電極、１７…封止層、１８…カラーフィルタ層、１８Ｒ…赤色カラーフィルタ、１８Ｇ…緑色カラーフィルタ、１８Ｂ…青色カラーフィルタ、１９…対向基板、２１…分離膜、２２，２２Ａ，２２Ｂ，２２Ｃ，２２Ｄ，２２Ｅ，２２Ｆ…光励起物質、１１０…表示領域、１２０…信号線駆動回路、１３０…走査線駆動回路、１４０…電源供給線駆動回路、１５０…画素駆動回路。
【図１】
2013122836.tif 000003
【図２】
2013122836.tif 000004
【図３】
2013122836.tif 000005
【図４】
2013122836.tif 000006
【図５】
2013122836.tif 000007
【図６】
2013122836.tif 000008
【図７】
2013122836.tif 000009
【図８】
2013122836.tif 000010
【図９】
2013122836.tif 000011
【図１０】
2013122836.tif 000012
【図１１】
2013122836.tif 000013
【図１２】
2013122836.tif 000014
【図１３】
2013122836.tif 000015
【図１４】
2013122836.tif 000016
【図１５】
2013122836.tif 000017
【図１６】
2013122836.tif 000018
【図１７】
2013122836.tif 000019
【図１８】
2013122836.tif 000020
【図１９】
2013122836.tif 000021
【図２０】
2013122836.tif 000022